【手続補正書】
【提出日】平成18年2月20日(2006.2.20)
【手続補正１】
【補正対象書類名】明細書
【補正対象項目名】特許請求の範囲
【補正方法】変更
【補正の内容】
【特許請求の範囲】
【請求項１】  被写体を透過した放射線を検出する放射線画像検出器を収納したカセッテが所定位置に装着される乳房画像撮影装置であって、
前記カセッテの種類を識別する識別装置と、
放射線を被写体に向けて照射する放射線源と、
撮影条件を、前記識別装置による識別結果に基づいて、吸収コントラスト画像を撮影するモードまたは位相コントラスト画像を撮影するモードに変更する制御装置とを備えることを特徴とする乳房画像撮影装置。
【請求項２】  請求項１記載の乳房画像撮影装置において、
前記撮影条件は、前記放射線源による放射線の照射条件であることを特徴とする乳房画像像撮影装置。
【請求項３】  請求項１又は２記載の乳房画像撮影装置において、
前記制御装置は、前記識別装置による識別結果に基づいて、放射線を照射させるために前記放射線源に印加される電圧量を制御することを特徴とする乳房画像撮影装置。
【請求項４】  請求項１〜３の何れか一項に記載の乳房画像撮影装置において、
前記制御装置は、予め設定された前記撮影条件に対し前記識別装置による識別結果が適合しない場合には、前記撮影条件を所定の撮影条件に変更することを特徴とする乳房画像撮影装置。
【請求項５】  請求項１〜３の何れか一項に記載の乳房画像撮影装置において、
前記制御装置は、予め設定された前記撮影条件に対し前記識別装置による識別結果が適合しない場合には、前記放射線源の焦点のサイズを所定の閾値より大きく設定することを特徴とする乳房画像撮影装置。
【請求項６】  請求項１〜３の何れか一項に記載の乳房画像撮影装置において、
前記制御装置は、予め設定された前記撮影条件に対し前記識別装置による識別結果が適合しない場合には撮影を行わないことを特徴とする乳房画像撮影装置。
【請求項７】  請求項１〜６の何れか一項に記載の乳房画像撮影装置において、
前記カセッテには、種別を識別するための識別情報としてバーコード、非接触型ＲＦＩＤ及び磁気テープの何れかが付され、
前記識別装置は、前記カセッテの識別情報として付された前記バーコード、非接触型ＲＦＩＤ及び磁気テープの何れかに対応するリーダであることを特徴とする乳房画像撮影装置。
【請求項８】  請求項１〜６の何れか一項に記載の乳房画像撮影装置において、
前記カセッテには、種別を識別するための凹凸等の変形部が配設され、
前記識別装置は、前記カセッテに配設された前記変形部を検知する接触型のマイクロスイッチ又は非接触型の光学素子であることを特徴とする乳房画像撮影装置。
【請求項９】  請求項１〜８の何れか一項に記載の乳房画像撮影装置において、
前記撮影条件と前記カセッテとが不適合であることを撮影者に報知する報知部を備えることを特徴とする乳房画像撮影装置。
【手続補正２】
【補正対象書類名】明細書
【補正対象項目名】０００８
【補正方法】変更
【補正の内容】
【０００８】
【課題を解決するための手段】
請求項１記載の発明は、被写体を透過した放射線を検出する放射線画像検出器を収納したカセッテが所定位置に装着される乳房画像撮影装置であって、
前記カセッテの種類を識別する識別装置と、
放射線を被写体に向けて照射する放射線源と、
撮影条件を、前記識別装置による識別結果に基づいて、吸収コントラスト画像を撮影するモードまたは位相コントラスト画像を撮影するモードに変更する制御装置とを備えることを特徴とする。
【手続補正３】
【補正対象書類名】明細書
【補正対象項目名】０００９
【補正方法】変更
【補正の内容】
【０００９】
ここで、被写体とは被験者の乳房のことである。
請求項１記載の発明によれば、撮影条件が識別装置による識別結果、つまりカセッテの種類に基づいて、吸収コントラスト画像を撮影するモードまたは位相コントラスト画像を撮影するモードに変更されるので、撮影条件に不適合なカセッテが装着されて撮影が行われる場合であっても、従来と異なり、そのカセッテに適した撮影条件によって撮影を行うことができる。
特に、撮影条件に対し識別装置による識別結果が適合しない場合に、吸収コントラスト画像を撮影するための撮影条件に変更されることとすれば、位相コントラスト画像を撮影するための撮影条件に変更される場合と比較して安全に撮影を行うことができる。
なお、カセッテが不適合となる場合としては、例えば位相コントラスト画像を撮影する場合に吸収コントラスト画像撮影用のカセッテが装着される場合や、吸収コントラスト画像を撮影する場合に位相コントラスト画像撮影用のカセッテが装着される場合の他、カセッテの種類が識別できない場合などがある。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】変更
【補正の内容】
【００１８】
請求項５記載の発明は、請求項１〜３の何れか一項に記載の乳房画像撮影装置において、
前記制御装置は、予め設定された前記撮影条件に対し前記識別装置による識別結果が適合しない場合には、前記放射線源の焦点のサイズを所定の閾値より大きく設定することを特徴とする。
【手続補正７】
【補正対象書類名】明細書
【補正対象項目名】００１９
【補正方法】変更
【補正の内容】
【００１９】
ここで、所定の閾値としては、例えば位相コントラスト画像の撮影が可能な焦点サイズの上限値、具体的には３００μｍ等を挙げることができる。
請求項５記載の発明によれば、予め設定された撮影条件に対し識別装置による識別結果が適合しない場合には放射線源の焦点のサイズが所定の閾値より大きくなるため、これにより撮影条件を一般的なものとし、以前の撮影結果との比較を容易化することができる。
【手続補正８】
【補正対象書類名】明細書
【補正対象項目名】００２０
【補正方法】変更
【補正の内容】
【００２０】
請求項６記載の発明は、請求項１〜３の何れか一項に記載の乳房画像撮影装置において、
前記制御装置は、予め設定された前記撮影条件に対し前記識別装置による識別結果が適合しない場合には撮影を行わないことを特徴とする。
【手続補正９】
【補正対象書類名】明細書
【補正対象項目名】００２１
【補正方法】変更
【補正の内容】
【００２１】
請求項６記載の発明によれば、予め設定された撮影条件に対し識別装置による識別結果が適合しない場合には撮影が行われないので、安全性に劣る撮影条件で撮影を行うことを防止することができる。
【手続補正１０】
【補正対象書類名】明細書
【補正対象項目名】００２２
【補正方法】変更
【補正の内容】
【００２２】
請求項７記載の発明は、請求項１〜６の何れか一項に記載の乳房画像撮影装置において、
前記カセッテには、種別を識別するための識別情報としてバーコード、非接触型ＲＦＩＤ及び磁気テープの何れかが付され、
前記識別装置は、前記カセッテの識別情報として付された前記バーコード、非接触型ＲＦＩＤ及び磁気テープの何れかに対応するリーダであることを特徴とする。
【手続補正１１】
【補正対象書類名】明細書
【補正対象項目名】００２３
【補正方法】変更
【補正の内容】
【００２３】
請求項７記載の発明によれば、カセッテの識別情報としてバーコード、非接触型ＲＦＩＤ、磁気テープのうちの何れか一の識別情報がカセッテに付され、識別装置として識別情報に対応するリーダが適用されるので、カセッテを識別するために新規な識別システムを導入せずとも従来から使用されている汎用品を用いてカセッテの種類を判別することができる。
【手続補正１２】
【補正対象書類名】明細書
【補正対象項目名】００２４
【補正方法】変更
【補正の内容】
【００２４】
請求項８記載の発明は、請求項１〜６の何れか一項に記載の乳房画像撮影装置において、
前記カセッテには、種別を識別するための凹凸等の変形部が配設され、
前記識別装置は、前記カセッテに配設された前記変形部を検知する接触型のマイクロスイッチ又は非接触型の光学素子であることを特徴とする。
【手続補正１３】
【補正対象書類名】明細書
【補正対象項目名】００２５
【補正方法】変更
【補正の内容】
【００２５】
請求項８記載の発明によれば、カセッテの種別を識別するものとして凹凸等の変形部が配設され、識別装置としてマイクロスイッチ又は光学素子が適用されるので、請求項８と同様の効果を得ることができる。
【手続補正１４】
【補正対象書類名】明細書
【補正対象項目名】００２６
【補正方法】変更
【補正の内容】
【００２６】
請求項９記載の発明は、請求項１〜８の何れか一項に記載の乳房画像撮影装置において、
前記撮影条件と前記カセッテとが不適合であることを撮影者に報知する報知部を備えることを特徴とする。
【手続補正１５】
【補正対象書類名】明細書
【補正対象項目名】００２７
【補正方法】変更
【補正の内容】
【００２７】
請求項９記載の発明によれば、撮影条件とカセッテとが不適合である場合にはその旨が操作者に報知されるので、安全性に劣る撮影条件で撮影を行うことを防止することができる。
【手続補正１６】
【補正対象書類名】明細書
【補正対象項目名】００６１
【補正方法】変更
【補正の内容】
【００６１】
撮影モードとカセッテ１４とが適合しないと判定した場合、例えば、吸収コントラスト画像撮影用の放射線画像検出器１５を収納したカセッテ１４が装着され位相撮影モードが選択された場合や、カセッテ１４の種類が識別できない場合には、制御装置３１は、放射線源４の焦点のサイズを大サイズ、つまり通常撮影モードのサイズに設定するとともに管電圧が高くなるよう放射線源４を制御する。これにより、被写体２の吸収線量は小さくなり、撮影条件は被写体２に対してより安全なものとなる。なお、この場合には、カセッテ１４の種類と撮影モードとが適合していないことをディスプレイ３３等を介して撮影者に報知することが好ましい。
一方、撮影モードとカセッテ１４とが適合すると判定した場合には、制御装置３１は、撮影者によって予め設定された撮影条件に基づいて放射線源４を制御する。
【手続補正１７】
【補正対象書類名】明細書
【補正対象項目名】００７５
【補正方法】削除
【補正の内容】
【手続補正１８】
【補正対象書類名】明細書
【補正対象項目名】００７６
【補正方法】変更
【補正の内容】
【００７６】
請求項５記載の発明によれば、請求項１〜３の何れか一項に記載の発明と同様の効果が得られるのは勿論のこと、撮影条件を一般的なものとし、以前の撮影結果との比較を容易化することができる。
【手続補正１９】
【補正対象書類名】明細書
【補正対象項目名】００７７
【補正方法】変更
【補正の内容】
【００７７】
請求項６記載の発明によれば、請求項１〜３の何れか一項に記載の発明と同様の効果が得られるのは勿論のこと、安全性に劣る撮影条件で撮影を行うことを防止することができる。
【手続補正２０】
【補正対象書類名】明細書
【補正対象項目名】００７８
【補正方法】変更
【補正の内容】
【００７８】
請求項７記載の発明によれば、請求項１〜６の何れか一項に記載の発明と同様の効果が得られるのは勿論のこと、カセッテを識別するために新規な識別システムを導入せずとも従来から使用されている汎用品を用いてカセッテの種類を判別することができる。
【手続補正２１】
【補正対象書類名】明細書
【補正対象項目名】００７９
【補正方法】変更
【補正の内容】
【００７９】
請求項８記載の発明によれば、請求項１〜６の何れか一項に記載の発明と同様の効果を得ることができる。
請求項９記載の発明によれば、請求項１〜８の何れか一項に記載の発明と同様の効果が得られるのは勿論のこと、安全性に劣る撮影条件で撮影を行うことを防止することができる。